(57)【要約】      （修正有）【課題】持ち運ぶときにコンパクトに分解・折畳むことができ、しかも、競技場のフィールド、或いはイベント会場などに載置するときには分解・折畳まれた状態から組立て・展開させるという作業で行うことができる看板支持装置を提供する。【解決手段】２本の支柱枠１−１の上端側を回動可能に連結している複数の立掛け枠部１、等長の２本の杆枠２−１の中央部を回動可能に連結している複数のＸ状連結枠部２を備え、Ｘ状連結枠部２の２本の杆枠２−１の端部を、横一列に配列されて隣り合う各立掛け枠部１の支柱枠１−１に備えられる固定部材８と移動部材９に回動可能に連結させて各立掛け枠部１を配列方向に折畳み・展開可能に連結する。そして各立掛け枠部１を配列方向に展開させたときに、各立掛け枠部１のうち、展開両側端の立掛け枠部１間にわたり着脱可能に取り付けられる上側横枠部材３−１と下側横枠部材３−２とが、支柱枠１−１の展開配列間隔にて屈曲可能に形成されている。【選択図】図１
0003175662.tif 000002
【実用新案登録請求の範囲】
【請求項１】
２本の支柱枠の上端側を少なくとも回動可能に連結して当該連結部から折畳み・展開可能に形成されている複数の立掛け枠部と、
等長の２本の杆枠の中央部を回動可能に連結している複数のＸ状連結枠部と、を備え，
前記Ｘ状連結枠部の前記２本の杆枠のそれぞれの上下端部を、横一列に配列されて隣り合う前記複数の立掛け枠部の前記支柱枠にそれぞれ備えられている固定部材と移動部材に回動可能に連結させて前記複数の立掛け枠部を配列方向に折畳み・展開可能に連結し、
さらに、前記複数の立掛け枠部を配列方向に展開させたときに、該各立掛け枠部のうち、展開両側端に位置する両側の立掛け枠部の前記支柱枠間にわたり着脱可能に取り付けられる看板支持部材を備え、この看板支持部材に取付手段を用いて看板が着脱可能に取り付けられるように構成されていることを特徴とする看板支持装置。
【請求項２】
前記看板支持部材は、少なくとも前記両側の立掛け枠部の前記支柱枠間にわたる長さに形成されている上下の枠部材からなり、かつ、前記各立掛け枠部の前記支柱枠間の展開配列間隔をおいて長さ方向に屈曲可能に形成されていることを特徴とする請求項１に記載の看板支持装置。
【請求項３】
２本の支柱枠の上端側を少なくとも回動可能に連結して当該連結部から折畳み・展開可能に形成されている複数の立掛け枠部と、
等長の２本の杆枠の中央部を回動可能に連結している複数のＸ状連結枠部と、を備え、
前記Ｘ状連結枠部の前記２本の杆枠のそれぞれの上下端部を、横一列に配列されて隣り合う前記複数の立掛け杆部の前記支柱枠にそれぞれ備えられている固定部材と移動部材に回動可能に連結させて前記複数の立掛け枠部を配列方向に折畳み・展開可能に連結し、
さらに、前記複数の立掛け枠部の前記２本の支柱枠のうち、一方の支柱枠に抜き差し着脱可能またはスライド可能に取り付けられる延長支柱枠と、前記複数の立掛け枠部を配列方向に展開させたとき、前記延長支柱枠と前記一方の支柱枠に着脱可能に取り付けられる看板支持部材と、を備え、前記看板支持部材に取付手段を用いて看板が着脱可能に取り付けられるように構成されていることを特徴とする看板支持装置。
【請求項４】
前記看板支持部材は、前記複数の立掛け枠部を配列方向に展開させたときに、前記延長支柱枠と前記一方の支柱枠にそれぞれ着脱可能に取り付けられる上下の枠部材と、
この上下の枠部材の両端間にそれぞれ着脱可能に取り付けられる両側の枠部材と、を備えて構成されていることを特徴とする請求項３に記載の看板支持装置。
【請求項５】
前記２本の支柱枠のうち、少なくとも前記他方の支柱枠が、長さ可変自在に形成されていることを特徴する請求項１から請求項４のいずれかに記載の看板支持装置。
【請求項６】
前記取付手段が、ベルベットファスナであることを特徴とする請求項１から請求項５いずれかに記載の看板支持装置。
【考案の詳細な説明】
【技術分野】
【０００１】
本考案は、看板支持装置に係り、詳しくは、例えばサッカーやラグビーなどの競技場において試合中にフィールドなどに載置され、或いは博覧会やイベント会場の入口などに載置されるなど、所謂公衆に対して露出するために載置されて使用される看板支持装置に関する。
【背景技術】
【０００２】
例えば、サッカーやラグビーその他のスポーツが行われる競技場のフィールドには、競技などを運営、開催する団体や企業などが広告宣伝のための看板（パネル表示板）が載置されている。
そして、看板は主に、ベニヤ板やフレーム（型材）などを用いて側面視が略正三角形状や二等辺三角形状に形成されている看板支持体の斜面の一方または双方に取り付けられるようになっている。
ちなみに、看板支持体は、高さが６００〜１０００ｍｍ位で、長さ（横幅）が４０００〜９０００ｍｍ位の大きさに形成されている。看板は、看板支持体の斜面の略全面を覆う程度の大きさに形成されていて、ネジ止めなどによって取り付けられるようになっている。
【０００３】
ところで、サッカーやラグビーなどの試合が終わった後に、看板支持体は看板が取り外され、看板とともにフィールドから撤去されて、競技場内の保管室に持ち運ばれて保管されるものであるが、持ち運びが不便である。
特に、ベニヤ板から形成されている看板支持体は、数人がかりで保管室へと持ち運ばなければならないばかりか、広い保管スペースが必要になるなどの取扱い上の問題があった。
【０００４】
そこで、従来では、特許文献１および特許文献２において開示されている新たな看板支持体が提案され、知られている。
【先行技術文献】
【特許文献】
【０００５】
【特許文献１】特開平７−２１００９２号公報
【特許文献２】特開平８−２６２９８５号公報
【考案の概要】
【考案が解決しようとする課題】
【０００６】
そこで、本考案は、前記課題を解消するために創案されたものであり、公衆に対して露出するために、例えば競技場のフィールド、イベント会場、店舗、学校、道路上などへの持ち運びをコンパクトに分解・折畳んだ状態で行うことができ、しかも、競技場、或いはイベント会場などに載置するときには分解・折畳み状態から組立て・展開させるという簡単な作業で行うことができるように改良された取扱いが頗る簡便な看板支持装置を提供することにある。
【課題を解決するための手段】
【０００７】
前記課題を解決するために、第１の本考案では、２本の支柱枠の上端側を少なくとも回動可能に連結して当該連結部から折畳み・展開可能に形成されている複数の立掛け枠部と、等長の２本の杆枠の中央部を回動可能に連結している複数のＸ状連結枠部と、を備え、
前記Ｘ状連結枠部の前記２本の杆枠のそれぞれの上下端部を、横一列に配列されて隣り合う前記複数の立掛け枠部の前記支柱枠にそれぞれ備えられている固定部材と移動部材に回動可能に連結させて前記複数の立掛け枠部を配列方向に折畳み・展開可能に連結し、さらに、前記複数の立掛け枠部を配列方向に展開させたときに、該各立掛け枠部のうち、展開両側端に位置する両側の立掛け枠部間にわたり着脱可能に取り付けられる看板支持部材を備え、この看板支持部材に適宜の取付手段を用いて看板が着脱可能に取り付けられるように構成されていることを特徴とする。
【０００８】
ここで、前記看板支持部材は、少なくとも前記両側の立掛け枠部の前記支柱枠間にわたる長さに形成されている上下の枠部材からなり、かつ、前記各立掛け枠部の前記各支柱枠の展開配列間隔をおいて長さ方向に屈曲可能に形成されていることが好適なものとなる。
また、前記２本の支柱枠のうち、少なくとも他方の支柱枠が、長さ可変自在に形成されていることが好適なものとなる。また、前記取付手段が、ベルベットファスナであることが好適なものとなる。
【０００９】
このような構成の第１の考案によれば、組立て・展開されている載置状態において、看板支持部材を配列方向に展開されている各立掛け枠部から取り外し、展開両側端の立掛け枠部を、展開配列の内側方向へ移動させることで、各Ｘ状連結部材の杆枠の上下端部側が、中央交差部を回動支点に互いに接近する方向に動き、この動きに追従して各立掛け枠部の２本の支柱枠にそれぞれ備えられている移動部材が下方へと移動する。
このようにして、配列方向に展開されている各立掛け枠部を接近移動させ、そして、各立掛け枠部の２本の支柱枠を、上端側連結部を回動支点に内側に閉じるように接近させることで、各立掛け枠部をコンパクトに折畳まれる。
また、長さ方向に屈曲可能に形成されている上下の枠部材からなる看板支持部材、上側横枠部材および下側横枠部材は屈曲させて短尺なコンパクト状態に折畳まれる。
【００１０】
また、配列方向に展開されている各立掛け枠部の２本の支柱枠間にわたり着脱自在に取り付けられている上下の枠部材に対し、看板はベルベットファスナによって取り付けられる。
【００１１】
第２の本考案では、２本の支柱枠の上端側を少なくとも回動可能に連結して当該連結部から折畳み・展開可能に形成されている複数の立掛け枠部と、等長の２本の杆枠の中央部を回動可能に連結している複数のＸ状連結枠部と、を備え、
前記Ｘ状連結枠部の前記２本の杆枠のそれぞれの上下端部を、横一列に配列されて隣り合う前記複数の立掛け杆部の前記支柱枠にそれぞれ備えられている固定部材と移動部材に回動可能に連結させて前複数の立掛け枠部を左右幅方向に折畳み・展開可能に連結し、さらに、前記複数の立掛け枠部の前記２本の支柱枠のうち、一方の支柱枠に抜き差し着脱可能またはスライド可能に取り付けられる延長支柱枠と、前記複数の立掛け枠部を配列方向に展開させたとき、前記延長支柱枠と前記一方の支柱枠に着脱可能に取り付けられる看板支持部材と、を備え、前記看板支持部材に取付手段を用いて看板が着脱可能に取り付けられるように構成されていることを特徴とする。
【００１２】
ここで、前記看板支持部材は、前記複数の立掛け枠部を配列方向に展開させたときに、前記延長支柱枠と前記一方の支柱枠にそれぞれ着脱可能に取り付けられる上下の枠部材と、この上下の枠部材との両端間にわたりそれぞれ着脱可能に取り付けられる両側の枠部材とを備えて構成されていることが好適なものとなる。
また、前記２本の支柱枠のうち、少なくとも他方の支柱枠が、長さ可変自在に形成されていることが好適なものとなる。また、前記取付手段が、ベルベットファスナであることが好適なものとなる。
【００１３】
このような構成の第２考案によれば、組立て・展開されている載置状態において、看板支持部材を立掛け枠部及び延長支柱枠から取り外し、展開両側の立掛け枠部を、展開配列の内側方向へ移動させることで、各Ｘ状連結部材の杆枠の上下端部側が、中央交差部を回動支点に互いに接近する方向に動き、この動きに追従して展開両側の立掛け枠部の２本の支柱枠にそれぞれ備えられている移動部材が下方へと移動する。
このようにして、両側の立掛け枠部を接近折畳むことができる。そして、両側の立掛け枠部の２本の支柱枠を、上端側連結部を回動支点に内側に閉じるように接近させることで、立掛け枠部はコンパクトに折畳まれる。
また、上下の枠部材と両側の枠部材からなる看板支持部材は分解されたコンパクト状態にすることができる。
【００１４】
また、展開された両側の立掛け枠部の一方の支柱枠と延長支柱枠とに着脱可能に取り付けられて組み立てられる上下の枠部材と両側の枠部材に対し、看板はベルベットファスナによって取り付けられる。
また、他方の支柱枠の長さを可変することで、一方の支柱枠と延長支柱枠に看板支持部材を介して取り付けられる看板を、斜め起立姿勢や垂直起立姿勢などに変更することができる。
【考案の効果】
【００１５】
以上のように構成されている看板支持装置によれば、複数のＸ状連結部材によって横一列の配列方向に連結されている複数の立掛け枠部は、２本の杆枠の中央回動部を支点に開閉する各Ｘ状連結枠部の開閉動作によって配列方向に折畳み・展開させることができ、しかも、２本の支柱枠は、上端連結部から折畳み・展開させることができる。
これにより、例えば、サッカーやラグビーなどの競技場のフィールドから競技場内の保管室などに持ち運ぶときに、コンパクトに分解・折畳むことができる。フィールドなどに載置するときには、分解・折畳み状態から簡単に組立て・展開させて看板を取り付けることができる。
【００１６】
また、横一列の配列方向に展開させた各立掛け枠部の２本の支柱枠にわたり着脱自在に取り付けられる上側横枠部材および下側横枠部材に対してベルベットファスナを用いて看板を簡単に取り付けるようにしていることで、看板の着脱が簡便である。
【００１７】
このように、本考案によれば、持ち運び、そして競技所のフィールドなどに載置（設置）するときにおいて取扱いが頗る簡便で、しかも、保管室などにおける保管スペースを削減することができるなどの数々の効果を有する看板支持装置を提供することができる。
【００１８】
また、以上のように構成されている看板支持装置によれば、Ｘ状連結部材によって展開配列方向に連結されている複数の立掛け枠部は、２本の杆枠の中央回動部を支点に開閉する各Ｘ状連結枠部の開閉動作によって折畳み・展開させることができ、しかも、２本の支柱枠は、上端連結部から折畳み・展開させることができる。
これにより、例えば、サッカーやラグビーなどの競技場やイベント会場に持ち運ぶときに、コンパクトに分解・折畳んだ状態で持ち運ぶことができる。そして、競技場やイベント会場に載置するときには、分解・折畳み状態から簡単に組立て・展開させて看板を取り付けることができる。
【００１９】
このように、本考案によれば、持ち運び、そして競技場やイベント会場などに載置（設置）するときにおいて取扱いが頗る簡便で、しかも、保管スペースを削減することができるなどの数々の効果を有する看板支持装置を提供することができる。
【図面の簡単な説明】
【００２０】
【図１】第１の考案に係る看板支持装置を組立て・展開させた状態を示す斜視図である。
【図２】同看板支持装置の正面図である。
【図３】看板が取り付けられた同看板支持装置の正面図である。
【図４】同看板支持装置の側面図である。
【図５】同看板支持装置の拡大縦断面図である。
【図６】図５のＶＩ−ＶＩ線拡大横断面図である。
【図７】図５のＶＩＩ−ＶＩＩ線拡大縦断面図である。
【図８】立掛け枠部の一部を拡大して示す斜視図である。
【図９】看板支持部材の一例である上側横枠部材および下側横枠部材の一部を拡大して示す斜視図である。
【図１０】看板支持装置の折畳み・展開を示す概略図であり、（ａ）は、上側横枠部材および下側横枠部材、そして両側の展開保持部材が取り外された展開状態を示す、（ｂ）は、各立掛け枠部を展開配列の内側および外側方向に移動させている状態を示す、（ｃ）は、各立掛け枠部を接近移動させた状態を示す、（ｄ）は、各立掛け枠部の２本の支柱枠を、展開状態から連結部材に対する連結ピンを回動支点に内側に閉じた状態を示す。
【図１１】分解・折畳まれた看板支持装置が収納バック内に納められた状態を示す平面図である。
【図１２】第２の考案に係る看板支持装置を組立て・展開させた状態を示す斜視図である。
【図１３】上下の水平枠部材、両側の垂直枠部材、そして延長支柱枠を取り外した状態の立掛け枠部を示す斜視図である。
【図１４】看板を取り付けた状態を示す看板支持装置の斜視図である。
【図１５】同看板支持装置を拡大して示す縦断側面図である
【図１６】立掛け枠部の他方の支柱枠を延ばして看板支持部材を略垂直姿勢とした状態を示す同縦断側面図である。
【図１７】図１５のＸＶＩＩ−ＸＶＩＩ線拡大横断面図である。
【図１８】立掛け枠部の折畳み・展開を示す概略図であり、（ａ）は、立掛け枠部の展開状態を示し、（ｂ）は、立掛け枠部を展開状態から配列内側方向に移動させて畳んだ状態を示し、（ｃ）は、各立掛け枠部の２本の支柱枠を、展開状態から連結部材に対する連結ピンを回動支点に内側に閉じて畳んだ状態を示す。
【図１９】分解・折畳まれた看板支持装置が収納バック内に納められた状態を示す平面図である。
【図２０】第２の考案に係る看板支持装置の他の実施形態を示す斜視図である。
【図２１】第２の考案に係る看板支持装置の他の実施形態を示す斜視図である。
【図２２】第２の考案に係る看板支持装置の他の実施形態を示す斜視図である。
【考案を実施するための形態】
【００２１】
以下、本考案の実施形態について、適宜図面を参照しながら詳細に説明する。
図１は、第１の本考案に係る看板支持装置を組立て・展開させた状態を示す斜視図であり、図２は、同看板支持装置の正面図であり、図３は、看板が取り付けられた状態を示す同看板支持装置の正面図であり、図４は、同看板支持装置の側面図である。また、図５は、同看板支持装置の拡大縦断面図であり、図６および図７は、拡大横断面図および拡大縦断面図である。
である。
なお、第１の考案および後記の第２の考案に係る看板支持装置（以後、「支持装置」と称する）Ａ，Ａ−１，Ａ−２，Ａ−３，Ａ−４に取り付けられる看板Ｂ，Ｂ−１としては、例えば、企業などのロゴや広告、或いは開催団体名、開催内容などが表示されているシート状またはパネル状、或いはＥＬパネルなどを挙げることができる。
【００２２】
≪第１の考案に係る支持装置の構成≫
支持装置Ａは、図１および図２に示すように、２本の支柱枠１−１を用いて折畳み・展開可能に形成される複数の立掛け枠部１と、等長の２本の杆枠２−１を用いて中央部から開閉可能に形成される複数のＸ状連結枠部２と、複数の立掛け枠部１を配列方向に展開させたときに、展開両側端に位置する両側の立掛け枠部１の支柱枠１−１間にわたる長さにて着脱可能に取り付けられる看板支持部材３とを備えて構成されている。
【００２３】
≪立掛け枠部の構成≫
図８は、立掛け枠部の一部を拡大して示す斜視図である。
立掛け枠部１は、丸パイプ材や角パイプ材、或いはそれらの棒材などから形成されている。本実施形態では、角パイプ材を用いて適宜の長さに形成されている２本の支柱枠１−１の上端側を、図８に示すように、連結部材４にそれぞれ回動可能に連結させることで、折畳み・展開可能に形成されている（後記の図１０参照）。
連結部材４は、図８に示すように、適宜の幅と長さを有する帯状の板材からなり、長さ方向の両側に２本の支柱枠１−１の上端側がそれぞれ連結ピン５によって連結（枢支）されるように形成されている。
そして、この連結部材４は、２本の支柱枠１−１を側面視で略正三角形状や二等辺三角形状に展開させたときに、その展開範囲を規制するための規制部４ａを長さ方向の両端にそれぞれ備えている。
【００２４】
また、各立掛け枠部１の２本の支柱枠１−１は、図７に示すように、上端に蓋部６を内嵌めよって備え、下端に脚部７を外嵌めによって備えている。蓋部６および脚部７は、合成樹脂料やゴム材などによって形成されている。
また、２本の支柱枠１−１の上端側に固定部材８が移動不能に備えられており、この固定部材８の下方には移動部材９が移動可能（スライド可能）に備えられている。
【００２５】
また、各立掛け枠部１の２本の支柱枠１−１のうち、少なくとも一方側の支柱枠１−１の上端側と下端側に、看板支持部材３を構成する後記の上側横枠部材３−１と下側横枠部材３−２をそれぞれ着脱自在に取り付けるための頭部付の係止ピン１０，１１をそれぞれ備えている。
【００２６】
また、横一列に配列される各立掛け枠部１のうち、両側端に位置する両側の立掛け枠部１の支柱枠１−１の下端側には頭部付の展開保持ピン１２がそれぞれ備えられている。
これにより、２本の支柱枠１−１を側面視で略正三角形状や二等辺三角形状に展開させたときに、展開保持部材１３を展開保持ピン１２にわたり掛け渡すことにより、２本の支柱枠１−１の展開状態が定形に保持されるようにしている。
【００２７】
展開保持部材１３は、適宜の厚さを有する帯板材によって所定の長さに形成され、その長さ方向に両端側に下向き開口で略Ｕ字形状の係止凹部１３ａがそれぞれ設けられている。
【００２８】
なお、図示を省略しているが、展開保持部材１３の一端側を、２本の支柱枠１−１のいずれか一方側に回動可能に取り付け、他端側のみに係止凹部を備えて、２本の支柱枠１−１を展開させたときに、一方側の支柱枠１−１に備えられている展開保持ピン１２に係止凹部を係止させるように展開保持部材１３を掛け渡すことにより、２本の支柱枠１−１の展開状態を保持されることができる。
【００２９】
≪固定部材の構成≫
固定部材８は、Ｘ状連結枠部２の２本の杆枠２−１の上端を、立掛け枠部１の２本の支柱枠１−１に回動可能に連結するものであり、合成樹脂材料などの成型材料によって一体に成型されている。
この固定部材８は、立掛け枠部１の２本の支柱枠１−１のそれぞれの横断面形状に適合させた略角筒状の枠取付部１４を備え、この枠取付部１４の両側に枠枢着部１５ａ，１５ｂをそれぞれ備えている。
【００３０】
なお、側方と下方に向けて開口するように略コの字形状に形成される両側の枠枢着部１５ａ，１５ｂは、図６に示すように、枠取付部１４の両側において、この枠取付部１４の貫通軸芯を境に、立掛け枠部１の内側と外側とに偏心された位置関係で形成されている。
詳しくは、枠枢着部１５ａ側を、枠取付部１４の貫通軸芯から立掛け枠部１の内側に、そして枠枢着部１５ｂ側を、枠取付部１４の貫通軸芯から立掛け枠部１の外側にそれぞれ偏心させて枠取付部１４の両側に一体に形成されている。
これにより、図６に示すように、重ね合わされた状態で中心交差部が回動可能に連結されるＸ状連結枠部２の２本の杆枠２−１を、立掛け枠部１の内側と外側に位置させた状態で、横一列に配列されて隣り合う各立掛け枠部１の支柱枠１−１の間に取り付けられるようにしている。
【００３１】
また、固定部材８は、枠取付部１４の一側のみに貫通軸芯から立掛け枠部１の内側または外側に偏心させて前記のいずれか一方の枠枢着部１５ａまたは１５ｂを備えている。
このように、枠取付部１４の一側のみに枠枢着部１５ａまたは１５ｂを備えている固定部材８は、横一列に配列される各立掛け枠部１のうち、両側端に位置する両側の立掛け枠部１の支柱枠１−１に対して取り付けられる。
【００３２】
このように形成されている固定部材８は、図６および図７に示すように、枠取付部１４を各立掛け枠部１の２本の支柱枠１−１の上端側に外嵌めにてそれぞれ装着され、止めビス１６によって２本の支柱枠１−１の上端側の所定の位置に移動不動に取り付けられる。
【００３３】
≪移動部材の構成≫
移動部材９は、前記の固定部材８と基本的に同じ構成であることから、同じ構成部分に同じ符合を付することで重複説明は省略する。
すなわち、移動部材９は、図６および図７に示すように、側方と上方に向けて開口するように略コの字形状に形成される両側の枠枢着部１５ａ，１５ｂを、枠取付部１４の両側にそれぞれ備えている。
【００３４】
このように形成されている移動部材９は、枠取付部１４を各立掛け枠部１の２本の支柱枠１−１にそれぞれ外嵌めさせてスライド可能に取り付けられる。
【００３５】
≪Ｘ状連結枠部の構成≫
Ｘ状連結枠部２は、立掛け枠部の２本の支柱枠１−１と同じく、丸パイプ材や角パイプ材、或いはそれらの棒材などから適宜の長さに形成されている。
本実施形態では、２本の支柱枠１−１よりも一回りから二回りほど細い角パイプ材を用いて等長に形成されている２本の杆枠２−１をその長さ方向の中央部で交差させ、この中央交差部を連結ピン１７によって回動可能に連結（枢支）することにより、２本の杆枠２−１の端部が連結ピン１７を回動支点に接近、離間（離反）するようにしている。
なお、図示を省略しているが、連結ピン１７によって連結される２本の杆枠２−１の交差する間に、両杆枠２−１の接触抵抗を防ぐためのスペーサなどを介在することができる。
【００３６】
そして、このように形成されている各Ｘ状連結枠部２の２本の枠部２−１の上端と下端を、横一列に隣り合う立掛け枠部１の２本の支柱枠１−１にそれぞれ備えられている固定部材８と移動部材９における枠枢着部１５ａ，１５ｂに連結ピン２３によって回動可能に連結（枢支）させることにより、複数の立掛け枠部１を横一列の配列方向に折畳み・展開可能に連結するようにしている。
【００３７】
≪看板支持部材の構成≫
図９は、看板支持部材の一例である上側横枠部材および下側横枠部材の一部を拡大して示す斜視図である。ここでは、図１〜図７を適宜参照しながら説明する。
看板支持部材３は、長尺な角パイプ材を用いて、後記の図１０の（ａ）に示すように、各立掛け枠部１を配列方向に展開させたときに、その展開両側端に位置する両側の立掛け枠部１の支柱枠１−１間にわたる長さに形成されている上側横枠部材３−１および下側横枠部材３−２からなる。
そして、図１および図２に示すように、この上側横枠部材３−１および下側横枠部材３−２は、各立掛け枠部１の各支柱枠１−１の展開配列間隔Ｌをおいて長さ方向に、取付部材１８を介して屈曲可能に形成されている。
つまり、上側横枠部材３−１および下側横枠部材３−２は、各支柱枠１−１の展開配列間隔Ｌに相当する長さに形成されている複数の短尺杆枠１９を取付部材１８によって屈曲可能に連結することにより、各立掛け枠部１を配列方向に展開させたときに、その展開両側端に位置する両側の立掛け枠部１の支柱枠１−１間にわたる長さになるように形成されている。
なお、各短尺杆枠１９の両側端部には、図９に示すように、合成樹脂製の蓋部１９−１が内嵌めによってそれぞれ備えられている。
【００３８】
取付部材１８は、図９に示すように、適宜の長さを有する断面視で略Ｌ字形状に形成されており、そのＬ形一辺部側の長さ方向の両側に、短尺杆枠１９の端部が連結ピン２０を介して回動可能に連結されるように形成されている。
また、取付部材１８は、Ｌ形他辺部側の長さ方向の中央部に、前記の頭部付の係止ピン１０，１１に対し、上方から係脱自在に係止させる下向き開口で略Ｕ字形状に形成されている係止凹部２１を備えている。
これにより、複数の短尺杆枠１９を屈曲可能に連結する各取付部材１８の係止凹部２１を、図１および図２に示すように、横一列の配列方向に展開された各立掛け枠部１の２本の支柱枠１−１の上端側と下端側に備えられている上下の頭部付の係止ピン１０，１１に対し、上方から位置合せ係止（掛止）させることで、上側横枠部材３−１と下側枠部材３−２とを各立掛け枠部１の２本の支柱枠１−１の上端側と下端側とにそれぞれ着脱可能に取り付けることができる。
【００３９】
そして、このように取付部材１８を介して長さ方向に屈曲可能に形成されている上側横枠部材３−１と下側横枠部材３−２との各短尺杆枠１９には、看板Ｂを着脱可能に取り付ける取付手段である雄雌からなる係脱自在なベルベットファスナ（商標名：マジックテープ）２２の一方側が取り付けられている。
【００４０】
ベルベットファスナ２２は、上側横枠部材３−１および下側横枠部材３−２の枠幅（太さ）に相当する幅にて帯板状に形成され、雄側ファスナ２２ａ、雌側ファスナ２２ｂのいずれか一方側が、図１および図２に示すように、各短尺杆枠１９に取り付けられる。本実施形態では、雄側ファスナ２２ａ側を各短尺杆枠１９にそれぞれ取り付けている。
これにより、上側横枠部材３−１と下側横枠部材３−２とにわたる高さで、配列方向の展開両側端に位置する両側の立掛け枠部１の支柱枠１−１間にわたる長さ（横幅）に形成されている看板Ｂの上下辺縁に沿ってその裏側に取り付けられる雌側ファスナ２２ｂとの係着によって、図６および図７に示すように、看板Ｂが支持装置Ａの一側傾斜面に着脱可能に取り付けられる。
【００４１】
［作用説明］
つぎに、このようにして看板Ｂが取り付けられる第１の考案に係る支持装置Ａの使い方について簡単に説明する。
図１０は、支持装置の折畳み・展開を示す概略図であり、図１１は、折畳まれた支持装置が収納バック内に納められた状態を示す平面図である。ここでは、図３および図４を適宜参照しながら説明する。
まず、支持装置Ａを、例えば、サッカーやラグビーなどの競技場のフィールドから競技場内の保管室などに持ち運ぶときの支持装置Ａの折畳み手順について説明すれば、図３および図４に示すように、看板Ｂが取り付けられている展開された載置（設置）状態において、看板Ｂを支持装置Ａから取り外した後に、上側横枠部材３−１と下側横枠部材３−２とを取り外すとともに、展開両側端の立掛け枠部１の２本の支柱枠１−１の下端側に掛け渡されている展開保持部材１３を取り外す（図１０の（ａ）参照）。
【００４２】
そして、展開両側端の一方または双方の立掛け枠部１を、展開配列の内側方向へ移動させる。すると、図１０の（ｂ）に示すように、各Ｘ状連結部材２の杆枠２−１の上下端部側が、中央交差部の連結ピン１７を回動支点に互いに接近する方向に動き、この動きに追従して各立掛け枠部１の２本の支柱枠１−１にそれぞれ備えられている移動部材９が下方へと移動する。
これにより、配列方向に展開されていた各立掛け枠部１を接近移動させた後に、各立掛け枠部１の２本の支柱枠１−１を、連結部材４に対する連結ピン５を回動支点に内側に閉じるように接近させることで、支持装置Ａを、図１０の(ｃ)および(ｄ)に示すように、コンパクトに折畳むことができる。
【００４３】
このようにして、コンパクトに折畳まれた支持装置Ａは、図１１に示すように、長さ方向に折畳まれた上側横枠部材３−１および下側横枠部材３−２、そして両側の展開保持部材１３とともに専用収納バックＣなどに収納されて保管室などへ持ち運ばれて保管されるものである。
【００４４】
そして、保管室などからフィールドなどに持ち運んで看板Ｂを支持させる載置状態（使用状態）にするときの支持装置Ａの展開手順について説明すれば、図１１に示すように、収納バックＣに収容されている立掛け枠部１、看板支持部材３（上側横枠部材３−１および下側横枠部材３−２）、そして両側の展開保持部材１３などの支持装置Ａ構成部材を収納バックＣから取り出す。
つぎに、各立掛け枠部１を、図１０の（ｃ）に示す状態から展開配列の外側方向に移動させる。すると、各Ｘ状連結部材２の杆枠２−１の上下端部側が、中央交差部の連結ピン１７を回動支点に互いに離反（離間）する方向に動き、この動きに追従して各立掛け枠部１の２本の支柱枠１−１にそれぞれ備えられている移動部材９が上方へと移動する（図１０の（ｂ）参照）。
これにより、図１０の（ａ）に示すように、各立掛け枠部１は、横一列の配列方向に展開される。そしてこの展開状態から各立掛け枠部１の２本の支柱枠１−１を、連結部材４に対する連結ピン５を回動支点に外側に開くように離反させた後に、看板支持部材２の上側横枠部材３−１および下側横枠部材３−２、そして両側の展開保持部材１３をそれぞれ取り付けることで、支持装置Ａは、図１に示すように、側面視が略正三角形状や二等辺三角形状となして、フィールドなどに載置（設置）される。
【００４５】
そして、上側横枠部材３−１と下側横枠部材３−２とにそれぞれ備えられているベルベットファスナ２２の雄側ファスナ２２ａに対し、看板Ｂ側に備えられている雌側ファスナ２２ｂを係着させることで、看板Ｂを上側横枠部材３−１と下側横枠部材３−２とにわたり着脱自在に取り付ける（図３および図４の状態）。
このようにして、支持装置Ａをフィールドなどに載置（設置）させたときに、風などによって載置場所から不用意に移動することを防ぐために、ウエイトなどを両側の展開保持部材１３に取り付ける。或いは両側の展開保持部材１３などを杭などで地面に固定するなどの対策を行うことは勿論任意である。
この場合、展開保持部材１３は両側のみならず、内側の立掛け枠部１のうち、いずれか、または、全ての２本の支柱枠１−１の下端側間にわたり、前記したように、展開保持部材１３を、展開保持ピン１２にわたり掛け渡し、ウエイトを取り付ける、または、杭などによって地面に固定することも可能である。
【００４６】
支持装置Ａの前記した分解・折畳み手順および組立て・展開手順は、一例であって、限定されるものではない。
【００４７】
≪第２の考案の係る支持装置の構成≫
図１２は、第２の考案に係る看板支持装置を組立て・展開させた状態を示す斜視図であり、図１３は、立掛け枠部を示す斜視図であり、図１４は、看板を取り付けた状態を示す看板支持装置の斜視図である。また、図１５は、拡大して示す同看板支持装置の縦断側面図であり、図１６は、看板支持装置を略垂直姿勢として状態の同縦断側面図であり、図１７は、立掛け杆部の一部を拡大して示す横断面図である。
この第２の考案に係る支持装置Ａ−１は、図１２および図１３に示すように、２本の支柱枠２５−１，２５−２を用いて折畳み・展開可能に形成される複数の立掛け枠部２４と、等長の２本の杆枠２６−１を用いて中央部から開閉可能に形成される複数のＸ状連結枠部２６と、立掛け枠部２４の一方の支柱枠２５−１の上端に抜き差し着脱自在に取り付けられる延長支柱枠２７と、複数の立掛け枠部２４を配列方向に展開させたときに、両側の立掛け枠部２４の一方の支柱枠２５−１と延長支柱枠２７に着脱可能に取り付けられる看板支持部材２８−１、２８−２とを備えて構成されている。
【００４８】
≪立掛け枠部の構成≫
立掛け枠部２４は、前記の第１の考案詳述の立掛け枠部１と基本的に構成はほぼ同じ形態を呈している。
すなわち、立掛け枠部２４は、図１３に示すように、角パイプ材を用いて形成されている２本の支柱枠２５−１，２５−２の上端側を、連結部材２９にそれぞれ回動可能に連結させることで、展開（開脚）・折畳み（閉脚）可能に形成されている。
そして、立掛け枠部２４の支柱枠２５−１側は、連結部材２９による連結部よりも上方に長く形成されている。これにより、連結部材２９により連結される部位より上方に延びる支柱枠２５−１側の上端に延長支柱枠２７が抜き差し自在に取り付けられるようにしている。
さらに、支柱枠２５−１の下端側には看板支持部材２８を構成する後記の下側横枠部材２８−２を着脱自在に取り付けるための頭部付の係止ピン３０を備えている。
【００４９】
一方、立掛け枠部２４の支柱枠２５−２側は、短尺な外パイプ材２５−２ａと、この外パイプ材２５−２ａの下端側に内嵌めスライド可能（摺動可能）に差し込み連結される内パイプ材２５−２ｂとで形成されている。これにより、支柱枠２５−２は、図１５および図１６に示すように、長さを適宜に可変調整し得るようになっている。
外パイプ材２５−２ａに対する内パイプ材２５−２ｂの内嵌めスライド範囲には、内パイプ材２５−２ｂを外パイプ材２５−２ａに対して移動不能に係止（ロック）させるための係止手段が備えられている。
【００５０】
係止手段は、内パイプ材２５−２ｂ側に備えられる係止部材３１と、外パイプ材２５−２ａ側に備えられる係止孔３２とで形成されている。
係止部材３１は、一端を開口させて断面視で略Ｕ字形状（略弾丸形状）に形成され、前記のスライド範囲における内パイプ材２５−２ｂの要所において、図示省略の弾性材（スプリングなど）によって突出方向に付勢された状態で出没可能に組み込まれている。
係止孔３１は、前記のスライド範囲における外パイプ材２５−２ａの長さ方向数ヶ所において、係止部材３０が係脱自在に挿通し得る口径にて開口されている。
【００５１】
２本の支柱枠２５−１，２５−２の上端側を回動可能に連結する連結部材２９は、前記の第１の考案詳述のように、帯状の板材からなり、図１５の拡大図に示すように、長さ方向の両側に２本の支柱枠２５−１，２５−２の上端側がそれぞれ連結ピン３３によって連結（枢支）されるように形成されている。
【００５２】
また、前記の第１の考案詳述のように、立掛け枠部２４は、２本の支柱枠２５−１，２５−２の上端側に、固定部材３４が移動不能に備えられており、この固定部材３２の下側には移動部材３５が移動可能（スライド可能）に備えられている。
【００５３】
また、立掛け枠部２４の２本の支柱枠２５−１，２５−２の長さ途中部位間にわたり展開保持部材３６を備えている。この展開保持部材３６は、適宜の長さを有する２枚の帯板材によって長さ方向の略中央部位から屈曲折畳まれるように形成され、両端が２本の支柱枠１−１，１−２の下端側に回動自在に連結されている。
これにより、展開保持部材３６は、２本の支柱枠１−１，１−２を側面視で略二等辺三角形状や略直角三角形状に展開（開脚）させたときに、その展開状態（開脚状態）を定形に保持する所定の長さと成し、２本の支柱枠１−１，１−２が折畳まれた（閉脚された）ときに、後記の図１８の（ｃ）に示すように、中央部位の枢着部３６ａを支点に折畳まれるようになっている。
【００５４】
≪固定部材および移動部材の構成≫
固定部材３４および移動部材３５は、前記の第１の考案詳述の固定部材８および移動部材９と基本的に同じ構成要素であることから、同じ構成要素に同じ符合を付することで重複説明は省略する。
また、この固定部材３４および移動部材３５に上端、下端をそれぞれ回動可能に連結させることで、隣り合う立掛け枠部２４を折畳み・展開可能に連結するＸ状連結枠部２６においても、等長の２本の杆枠２６−１を用いて中央部から開閉可能に形成される前記の第１の考案詳述のＸ状連結枠部２と基本的に同じ構成要素であることから、同じ構成要素に同じ符合を付することで重複説明は省略する。
【００５５】
≪延長支柱枠の構成≫
延長支柱枠２７は、立掛け枠部２４の一方側の支柱枠２５−１に対する連結によって、例えば、博覧会などにおいて、縦書きなどによって大きく書かれる開催内容や開催主名や団体名が書かれた看板Ｂを、看板支持部材２８を介して取り付けるのに必要な高さを、支柱枠２５−１の下端から支持装置Ａ−１（看板支持部材２８）の高さ全高にわたり確保するための高さ延長部材である。
この延長支柱枠２７は、支柱枠２５−１と同じ太さを有する角パイプを用いて所望の長さ、例えば、支柱枠２５−１の長さに相当する長さに形成されている。そして、図１３に二点鎖線で示すように、支柱枠２５−１の上端に抜き差し自在に連結させる連結杆部３７を下端に備えている。この連結杆部３７は、支柱枠２５−１の上端に内嵌めにて差し込み連結される太さに形成されている。
【００５６】
また、延長支柱枠２７は、看板支持部材２８の後記する上側横枠部材２８−１を着脱自在に取り付けるための頭部付の係止ピン３７を備えている。この係止ピン３７は、図１５の拡大図に示すように、延長支柱枠２７を前後面方向に貫通するように備えられ、後面より突出するピン後端側にはコイルスプリングなどの弾発部材３７ａが巻回備えられている。
これにより、上側横枠部材２８−１を後記する取付部材３９を介して取り付けるときに、該取付部材３９を弾発作用によってガタツキが無い状態で延長支柱枠２７に保持される。
【００５７】
≪看板支持部材の構成≫
看板支持部材２８は、図１２に示すように、上下の横枠部材２８−１，２８−２と、この下側横枠部材２７−１と上側横枠部材２７−２との両端間にわたり着脱可能にそれぞれ取り付けられる両側の縦枠部材２８−３とを備えて構成されている。
【００５８】
≪上下の横枠部材の構成≫
上下の横枠部材２８−１，２８−２は、延長支柱枠２７と同じ太さを有する角パイプによって、例えば、１０００ｍｍ〜１５００ｍｍ程度の所望の長さにそれぞれ形成されている。
そして、上下の横枠部材２８−１，２８−２は、その長さ方向の要所２ヶ所に取付部材３９をそれぞれ備えている。
【００５９】
取付部材３９は、前記の第１考案詳述の取付部材１８と同じく、断面視で略Ｌ字形状に形成されている。そして、取付部材３９は、延長支柱枠２７の間隔をおいてそのＬ形一辺部側が上下の横枠部材２８−１，２８−２に固着され、Ｌ形他辺部側の長さ方向の中央部には頭部付の係止ピン３０，３８に対し、上方からまたは正面から係脱自在に係止させる下向き開口で略Ｕ字形状に、或いは鍵形状やだるま形状に形成されている係止部３９ａをそれぞれ備えている。
これにより、図１２および図１５に示すように、両側の立掛け枠部２４を配列方向に展開させた状態で、延長支柱枠２７の上端側と支柱枠２５−１の下端側に備えられている係止ピン３０，３８に対し、上方および正面から位置合せ係止（掛止）させることで、上側横枠部材２８−１を延長支柱枠２７の上端間にわたり、そして下側横枠部材２８−２を立掛け枠部２４の支柱枠２５−１の上端間にわたりそれぞれ着脱可能に取り付けることができるようにしている。
【００６０】
また、上下の横枠部材２８−１，２８−２は、図１３に二点鎖線で示すように、両側の縦枠部材２８−３の上端と下端をそれぞれ抜き差し自在に連結させる連結杆部４１，４２を両端にそれぞれ備えている。
連結杆部４１，４２は、両側の縦枠部材２８−３の上端と下端に内嵌めにて差し込み連結される太さに形成され、上下の横枠部材２８−１，２８−２の両端に直角状態（上向きまたは下向きの状態）にてそれぞれ固着されている。
【００６１】
≪両側の縦枠部材の構成≫
両側の縦枠部材２８−３は、上下の横枠部材２８−１，２８−２と同じ太さを有する角パイプによって、立掛け枠部２４の支柱枠２５−１の長さと同じ程度の例えば８００ｍｍ〜１０００ｍｍの長さを有する上下のパイプ材２８−３ａ，２８−３ｂによって突合せ連結自在に形成されている。
上下のパイプ材２８−３ａ，２８−３ｂは、図１３に二点鎖線で示すように、その一方のパイプ材２８−３ａの突合せ端部に、もう一方のパイプ材２８−３ｂ２の突合せ端部に対して抜き差し自在に内嵌め連結させる連結杆部４２を備えている。この連結杆部４２は、パイプ材２８−３ｂの突合せ端部に内嵌めにて差し込み連結される太さに形成されている。
【００６２】
また、上下のパイプ材２８−３ａ，２８−３ｂは、上下の横枠部材２８−１，２８−２の連結杆部４１，４２が内嵌め連結されるそれぞれに端部側に、当該端部より突出させた状態で当て板４３をそれぞれ備えている。
これにより、連結杆部４１，４２の抜き差し自在な内嵌め連結による上下の横枠部材２８−１，２８−２の両端に対し、ガタツキが少ない安定させた状態で連結させることができるようにしている。
【００６３】
そして、このように形成されている看板支持部材２８の上下の横枠部材２８−１，２８−２と両側の縦枠部材２８−３には、前記の第１の考案詳述のように、看板Ｂ−１を着脱可能に取り付ける取付手段である雄雌からなる係脱自在なベルベットファスナ（商標名：マジックテープ）２２の一方側が取り付けられている。このベルベットファスナ２２は、前記の第１の考案詳述と基本的に同じことから、同じ符合を付することで重複説明は省略する。
【００６４】
なお、図示を省略しているが、立掛け枠部２４の支柱枠２５−１に対する延長支柱枠２７の差し込み連結部、上下横枠部材２８−１，２８−２の両端に対する両側縦枠部材２８−３の差し込み連結部、両側縦枠部材２８−３の上下パイプ材２８−３ａ，２８−３ｂの差し込み連結部、これら各連結部に工具を必要としない蝶ネジやその他の締結部材を備えて、各連結部をガタツキの無い状態にしっかりと締結することは任意である。
【００６５】
［作用説明］
つぎに、以上のように構成されている第２の考案に係る支持装置Ａ−１の使い方について簡単に説明する。
図１８は、立掛け杆部の折畳み・展開を示す概略図であり、図１９は、分解・折畳まれた支持装置が収納バック内に納められた状態を示す平面図である。ここでは、図１２から図１６を適宜参照しながら説明する。
例えば、支持装置Ａ−１を、競技場の入口やイベント会場などの入口に設置する場合、図１９に示すバック収納状態で持ち運んで載置（設置）するときの支持装置Ａ−１の組立て・展開手順について説明する。
まず始めに、立掛け枠部２４、看板支持部材２８（上下の横枠部材２８−１，２８−２および両側の縦枠部材２８−３）などの支持装置Ａ−１構成部材を収納バックＣ−１から取り出す。
【００６６】
そして、図１８の（ｂ）および（ｃ）に示すように、折畳まれている両側の立掛け枠部２４を、図２および図１８の（ａ）に示すように、展開配列方向に展開させ、この展開状態から両側の立掛け枠部２４の２本の支柱枠２５−１，２５−２を、連結部材２９に対する連結ピン３３を回動支点に外側にそれぞれ展開（開脚）させた状態で、隣り合う支柱枠２５−１の上端に延長支柱枠２７をそれぞれ差し込み取り付ける。
つぎに、看板支持部材２８の下側横枠部材２８−２を立掛け枠部２４の支柱枠２５−１の下端間にわたり取り付け、次いで、下側横枠部材２８−２の両側に備えられている連結杆部４２に両側縦枠部材２８−３の一方のパイプ材２８−３ｂを連結させるとともに、このパイプ材２８−３ｂにもう一方のパイプ材２８−３ａを連結させて、両側の縦枠部材２８−３を下側横枠部材２８−２の両端から起立させる。
最後に、上側横枠部材２８−１を、延長支柱枠２７の上端間にわたり取り付けるとともに、両側の縦枠部材２８−３のパイプ材２８−３ａに上側横枠部材２８−１の両側連結杆部４１に差し込み連結させることで、支持装置Ａ−１を、図１２に示すように、所望の高さを有する起立姿勢にて、例えば、イベント会場などの入口に載置（設置）することができる。
【００６７】
そして、上下の横枠部材２８−１，２８−２と両側の縦枠部材２８−３にそれぞれ備えられているベルベットファスナ２２の雄側ファスナ２２ａに対し、看板Ｂ−１側に備えられている雌側ファスナ２２ｂを係着させることで、看板Ｂ−１を囲繞状に枠組みされた上下の横枠部材２８−１，２８−２と両側の縦枠部材２８−３に着脱自在に取り付ける（図１４の状態）。
【００６８】
このようにして、支持装置Ａ−１をイベント会場などの入口に載置（設置）したのち、看板Ｂ−１に記載されている開催団体名、開催内容などの表示が、図１５に示す斜め起立姿勢よりも、垂直姿勢のほうが見やすくなる場合には、立掛け枠部２４の支柱枠２５−２の内パイプ材２５−２ｂを、外パイプ材２５−２ａから引き出して支柱枠２５−２の長さを可変することで、図１６に示すように、看板Ｂ−１を略垂直とする垂直姿勢（起立姿勢）に支持装置Ａ−１を変更することができる。
【００６９】
なお、支持装置Ａ−１をイベント会場などの入口に載置（設置）させたときに、風などによって不用意に移動、或いは横転することを防ぐために、ウエイトなどを立掛け枠部２４の２本の支柱枠２７−１，２７−２や両側の展開保持部材３６に取り付けるなどの対策を行うことは勿論任意である。
【００７０】
そして、イベントが終了し、会場入口から撤去するときの支持装置Ａ−１を分解・折畳み手順について説明すれば、図１４に示すように、看板Ｂ−１が取り付けられている展開された載置（設置）状態において、看板Ｂ−１を支持装置Ａ−１から取り外した後に、前記の組立て・展開手順とは逆の手順にて行うことで、図１９に示すように、支持装置Ａ−１をコンパクトに分解・折畳んだ状態で収納バックＣ−１などに収納させて持ち運び撤去することができる。
支持装置Ａ−１の前記した分解・折畳み手順および組立て・展開手順は、一例であって、限定されるものではない。
【００７１】
図２０は、第２の考案に係る看板支持装置の他の実施形態を示す斜視図である。
この実施形態に係る支持装置Ａ−２は、図２０に示すように、看板支持部材２８を構成する上下の横枠部材２８−４，２８−５の長さを、前記の実施形態のよりも短く形成した構成を採用している。それ以外の構成要素において前記の実施形態と基本的に同じことから同じ構成要素に同じ符号を付することで重複説明は省略する。
すなわち、上下の横枠部材２８−４，２８−５は、展開配列方向に展開された両側の立掛け枠部２４の支柱枠２５−１間および延長支柱枠２７間の展開寸法よりも僅かに両側方に向けた長さに形成されている。
これにより、幅が狭く、縦に長い縦長の看板を、前記の実施形態と同様にベルベットファスナ２２によって取り付けることが可能になる。
【００７２】
図２１は、第２の考案に係る看板支持装置の同じく他の実施形態を示す斜視図である。
この実施形態に係る支持装置Ａ−３は、図２１に示すように、立掛け枠部２４の支柱枠２５−１の上端と延長支柱枠２７の下端との突合せ端部間、そして看板支持部材２８を構成する両側の縦枠部材２８−３の上下のパイプ材２８−３ａ，２８−３ｂの突合せ端部間に、支持装置Ａ−３（看板支持部材２８）の高さをさらに高くするための中間支柱枠４５および中間パイプ材２８−３ｃをそれぞれ連結介在させた構成を採用している。それ以外の構成要素において前記の実施形態と基本的に同じことから同じ構成要素に同じ符号を付することで重複説明は省略する。
すなわち、中間支柱枠４５および中間パイプ材２８−３ｃは、延長支柱枠２７および上下のパイプ材２８−３ａ，２８−３ｂと同じ太さの角パイプによって所望の長さにそれぞれ形成されている。そして、中間支柱枠４５および中間パイプ材２７−３ｃは、図２１に二点鎖線で示すように、立掛け枠部２４の支柱枠２５−１の上端（突合せ端部）と上下のパイプ材２８−３ａ，２８−３ｂのうち、パイプ材２８−３ｂの上端（突合せ端部）に内嵌めにて差し込み連結させる連結杆部４６，４７をそれぞれ備えている。
【００７３】
このように構成されている支持装置Ａ−３によれば、組立て・展開されるてるときに、両側の立掛け枠部２４を折畳まれた状態から展開させた後に、隣り合う支柱枠２５−１の上端に中間支柱枠４５を差し込み連結し、つぎに、この中間支柱枠４５に延長支柱枠２７を差し込み連結する組立て手順になる。
そして、看板支持部材２８を取り付けるときには、前記の実施形態詳述のように隣り合う支柱枠２５−１の下端間にわたり下側横枠部材２８−２を取り付けた後に、この下側横枠部材２８−２の両側に縦枠部材２８−３を取り付けるとき、縦枠部材２８−３の一方のパイプ材２８−３ｂを、下側横枠部材２−２の両側連結杆部４１に差し込み連結し、つぎに、このパイプ材２８−３ｂに中間パイプ材２７−３ｃを差し込み連結し、この中間パイプ材２７−３ｃにもう一方のパイプ材２８−３ａを連結させて、両側の縦枠部材２８−３を下側横枠部材２８−２の両端から起立させる組立て手順になる。
【００７４】
図２２は、第２の考案に係る看板支持装置のさらに他の実施形態を示す斜視図である。
この実施形態に係る支持装置Ａ−４は、図２２に示すように、立掛け枠部２４の支柱枠２５−１に連結される延長支柱枠４６の長さ、そして看板支持部材２８を構成する両側の縦枠部材２８−３の上下のパイプ材２８−３ａ，２８−３ｂのうち、その一方のパイプ材２８−３０ａの長さを短く形成して、支持装置Ａ−４（看板支持部材２８）の高さを前記の実施形態よりも低く形成する構成を採用している。それ以外の構成要素において前記の実施形態と基本的に同じことから同じ構成要素に同じ符号を付することで重複説明は省略する。
すなわち、延長支柱枠４６および両側の縦枠部材２８−３のパイプ材２８−３０ａは、前記の実施形態詳述の延長支柱枠２７およびパイプ材２８−３ａの長さよりも半分程度または１／３程度の長さに形成されている。
【００７５】
なお、本考案の実施形態の具体的な構成は、前記した実施形態に限られるものではなく、請求項１から請求項６に記載の本考案の要旨を逸脱しない範囲で設計変更などがあっても本考案に含まれるものである。
例えば、第１の考案に係る看板支持装置Ａにおいて、立掛け枠部１の２本の支柱枠１−１を展開させたときの形態として、一面側のみに傾斜させた略直角三角形とすることができる。この場合、２本の支柱枠１−１のうち、一方側を他方側よりも短く形成された垂直枠とすることで可能になる。
【００７６】
また、第１の考案に係る支持装置Ａにおいて、看板Ｂが取り付けられる傾斜面の傾斜角度を適宜に調整変更することができる構造とすることができる。
この場合、２本の支柱枠１−１のうち、一方側の支柱枠１−１に沿って調節長孔を備え、この調節長孔に操作ノブ付ボルトによってスライド可能（摺動可能）で、かつ、締付け定着可能、そして折畳み・展開可能に連結させる連結部材を、他方側の支柱枠１−１の上端などに備えることで可能となる。
なお、調節長孔は、断面視で略Ｌ字形状のＬ形部材に備えて、このＬ形部材を、上下の枠部材を介して看板Ｂが取り付けられる一方側の支柱枠１−１に取り付けることで、一方側の支柱枠１−１に沿って備えることができる。そして、調整長孔の長辺孔縁に、操作ノブ付ボルトのネジ部を係脱自在に係止させる凹部を適宜の間隔をおいて複数個所、つまり、看板Ｂが取り付けられる傾斜面の角度調節範囲に応じて複数個所に設けることができる。
また、看板Ｂが取り付けられる傾斜面の傾斜角度を適宜に調整変更するための構造として、第２の考案に係る支持装置Ａと同じく、他方側の支柱枠１−１を外パイプと内パイプから形成し、長さ可変自在とすることもできる。
【００７７】
また、第１の考案に係る支持装置Ａにおいて、看板支持部材は、上下と中間との３本ないし４本の複数横枠部材から形成することができる。さらに、看板支持部材３は、上側横枠部材３−１と下側横枠部材３−２との間にわたり、立掛け枠部１の展開配列方向の数ヶ所に縦枠部材を着脱可能に取り付けて、各縦枠部材に前記のベルベットファスナ２２を介して看板Ｂを取り付け支持させることができる。
また、上側横枠部材３−１と下側横枠部材３−２とを立掛け枠部１の２本の支柱枠１−１の一方側または双方側に着脱可能に取り付ける手段として、上側横枠部材３−１と下側横枠部材３−２とをそれぞれ屈曲可能に連結する取付部材１８を支柱枠１−１にネジ止めするなどによって行うことができる。この場合、上側横枠部材３−１においては、支柱枠１−１の上端に備えられている蓋部６の上面軸芯にネジ孔を設けて、該蓋部６に着脱可能に取り付けることができる。
そして、看板支持部材３は、適宜の幅を有する板材などを用いて形成することができる。
また、Ｘ状連結枠部２の２本の杆枠２−１の端部を連結させる固定部材８を、横一列に配列されて隣り合う各立掛け枠部１の支柱枠１−１の下端側に移動不能に備え、この固定部材８の上方に移動部材９をスライド可能に備えることができる。
【００７８】
さらに、第１の考案および第２に係る支持装置Ａ，Ａ−１，Ａ−２，Ａ−３，Ａ−４において、看板Ｂ，Ｂ−１を看板支持部材３、２８に着脱可能に取り付けるための取付手段として、ベルベットファスナに代えて、マグネットやネジ止めなどを挙げることができる。ネジ止めを採用する場合、第１の考案に係る支持装置Ａにおいては展開された支持装置Ａの横幅方向全長にわたして当て板などを使用することが好適なものとなる。
【００７９】
また、第１の考案に係る支持装置Ａにおいて、上側横枠部材３−１および下側横枠部材３−２の長さは、両側の立掛け枠部１よりも側方（外方）に飛び出す長さとすることができる。つまり、看板Ｂは、両側の立掛け枠部１および上側横枠部材３−１から外側に飛び出させた状態で取り付けることができる。
【００８０】
さらにまた、第１の考案に係る支持装置Ａにおいて、各立掛け枠部１の２本の支柱枠１−１の下端に、キャスタなどの車輪を取り付けることができる。これにより、例えば、サッカーやラグビーなどの競技場において、既に看板Ｂが取り付けられている展開（載置）された状態の支持装置Ａを、フィールドの他の場所へと移動させるときなどに簡便である。
【００８１】
また、第２の考案に係る支持装置Ａ−１，Ａ−２，Ａ−３，Ａ−４において、立掛け枠部２４の支柱枠２５−１に対し、延長支柱枠２７を上下スライド可能に取り付けて、延長支柱枠２７を上下に移動させる操作によって、支持装置Ａ−１，Ａ−２，Ａ−３，Ａ−４（看板支持部材２８）の高さを適宜可変するように構成することができる。
この場合、延長支柱枠２７全体を、支柱枠に内嵌めされる太さの角パイプによって形成、または、支柱枠に内嵌めされて上下にスライドされる範囲の下端側（下半部側）を、前記太さの角パイプによって形成するなどが挙げられる。
また、この場合、支柱枠に対する延長支柱枠の内嵌めスライド範囲に、前記の実施形態詳述の係止部材３１と係止孔３２からなる係止手段を備え、延長支柱枠を各スライド位置に移動不能に係止（ロック）させる構成を採用するとよい。
【００８２】
また、例えば、図２０に示す下側横枠部材２８−５と上側横枠部材２８−４の長さ程度で、上向き開口および下向き開口の断面視で略コの字形状、または、略Ｌ字形状などに形成されている下側挟持枠部材と上側挟持枠部材を、前記の実施形態のように、立掛け枠部２４の支柱枠２５−１間と延長支柱枠２７間とにわたり係止部３９ａと頭部付の係止ピン３０，３８との関係で着脱自在に取り付けて、下側横枠部材と上側横枠部材との間に看板を支持させるように構成することもできる。この場合、看板支持部材２８は、下側挟持枠部材と上側挟持枠部材との２部材によって構成される。
【符号の説明】
【００８３】
Ａ，Ａ−１，Ａ−２，Ａ−３，Ａ−４  看板支持装置
１，２４  立掛け枠部
１−１，２４−１，２４−２  支柱枠
２，２５  Ｘ状連結部材
２−１，２５−１  杆枠
３      看板支持部材
３−１  上側横枠部材（枠部材）
３−２  下側横枠部材（枠部材）
４，２８  連結部材（連結部）
８      固定部材
９      移動部材
２２    ベルベットファスナ（取付手段）
２６，４６  延長支柱枠
２８    看板支持部材
２８−１，２８−４  上側横枠部材（枠部材）
２８−２，２８−５  下側横枠部材（枠部材）
２８−３  両側縦枠部材（枠部材）
Ｂ，Ｂ−１      看板
【図１】
0003175662.tif 000003
【図２】
0003175662.tif 000004
【図３】
0003175662.tif 000005
【図４】
0003175662.tif 000006
【図５】
0003175662.tif 000007
【図６】
0003175662.tif 000008
【図７】
0003175662.tif 000009
【図８】
0003175662.tif 000010
【図９】
0003175662.tif 000011
【図１０】
0003175662.tif 000012
【図１１】
0003175662.tif 000013
【図１２】
0003175662.tif 000014
【図１３】
0003175662.tif 000015
【図１４】
0003175662.tif 000016
【図１５】
0003175662.tif 000017
【図１６】
0003175662.tif 000018
【図１７】
0003175662.tif 000019
【図１８】
0003175662.tif 000020
【図１９】
0003175662.tif 000021
【図２０】
0003175662.tif 000022
【図２１】
0003175662.tif 000023
【図２２】
0003175662.tif 000024